(57)【要約】【課題】ヒューズを用いずに電圧検出回路を保護する。【解決手段】直流電源と、当該直流電源のプラス電圧及びマイナス電圧が入力される保護対象回路との間に設けられる回路保護装置であって、前記直流電源を構成する電池セルのプラス端子にソース端子が接続され、前記保護対象回路にドレイン端子が接続されるＰチャネル型電界効果トランジスタと、前記Ｐチャネル型電界効果トランジスタのゲート端子及びグランドの間に接続されたスイッチング素子と、前記スイッチング素子がオン状態に制御されている場合において、前記直流電源が正常電圧を出力すると前記Ｐチャネル型電界効果トランジスタを導通状態とし、前記直流電源が異常電圧を出力すると前記Ｐチャネル型電界効果トランジスタを非導通状態とするスイッチ駆動回路と、を備えることを特徴とする回路保護装置である。【選択図】図１
2020025375.tif 000002
【特許請求の範囲】
【請求項１】
直流電源と、当該直流電源のプラス電圧及びマイナス電圧が入力される保護対象回路との間に設けられる回路保護装置であって、
前記直流電源を構成する電池セルのプラス端子にソース端子が接続され、前記保護対象回路にドレイン端子が接続されるＰチャネル型電界効果トランジスタと、
前記Ｐチャネル型電界効果トランジスタのゲート端子及びグランドの間に接続されたスイッチング素子と、
前記スイッチング素子がオン状態に制御されている場合において、前記直流電源が正常電圧を出力すると前記Ｐチャネル型電界効果トランジスタを導通状態とし、前記直流電源が異常電圧を出力すると前記Ｐチャネル型電界効果トランジスタを非導通状態とするスイッチ駆動回路と、
を備えることを特徴とする回路保護装置。
【請求項２】
前記スイッチ駆動回路は、
一端が前記電池セルのプラス端子に接続され、他端が前記Ｐチャネル型電界効果トランジスタのソース端子に接続される第１の抵抗器と、
一端が前記Ｐチャネル型電界効果トランジスタのゲート端子に接続され、他端が前記スイッチング素子を介してグランドに接続される第２の抵抗器と、
を備えることを特徴とする請求項１に記載の回路保護装置。
【発明の詳細な説明】
【技術分野】
【０００１】
本発明は、回路保護装置に関する。
【背景技術】
【０００２】
下記特許文献１には、組電池の電圧を検出する電圧検出回路を保護する回路保護装置が開示されている。この回路保護装置は、組電池と電圧検出回路との間に介装される回路であり、電圧検出回路の各入力端と組電池を構成する複数の電池セルの各端子とを相互接続する複数の検出ラインの各々に挿入される複数のヒューズと、個々の電池セルに対応する一対の検出ライン間に各々設けられる複数のツェナーダイオードからなる保護回路である。
【先行技術文献】
【特許文献】
【０００３】
【特許文献１】特開２０１１−５４４４０号公報
【発明の概要】
【発明が解決しようとする課題】
【０００４】
ところで、上記ヒューズは、一対の端子間を接続する導体が過電流によって溶断することで電圧検出回路を保護するものであるが、一度溶断すると、溶断したヒューズを新たなヒューズに交換する必要があり、手間がかかる。
【０００５】
本発明は、このような事情に鑑みてなされたもので、その目的は、ヒューズを用いずに電圧検出回路を保護することである。
【課題を解決するための手段】
【０００６】
本発明の一態様は、直流電源と、当該直流電源のプラス電圧及びマイナス電圧が入力される保護対象回路との間に設けられる回路保護装置であって、前記直流電源を構成する電池セルのプラス端子にソース端子が接続され、前記保護対象回路にドレイン端子が接続されるＰチャネル型電界効果トランジスタと、前記Ｐチャネル型電界効果トランジスタのゲート端子及びグランドの間に接続されたスイッチング素子と、前記スイッチング素子がオン状態に制御されている場合において、前記直流電源が正常電圧を出力すると前記Ｐチャネル型電界効果トランジスタを導通状態とし、前記直流電源が異常電圧を出力すると前記Ｐチャネル型電界効果トランジスタを非導通状態とするスイッチ駆動回路と、を備えることを特徴とする回路保護装置である。
【０００７】
本発明の一態様は、上述の回路保護装置であって、前記スイッチ駆動回路は、一端が前記電池セルのプラス端子に接続され、他端が前記Ｐチャネル型電界効果トランジスタのソース端子に接続される第１の抵抗器と、一端が前記Ｐチャネル型電界効果トランジスタのゲート端子に接続され、他端が前記スイッチング素子を介してグランドに接続される第２の抵抗器と、を備えることを特徴とする。
【発明の効果】
【０００８】
以上説明したように、本発明によれば、ヒューズを用いずに電圧検出回路を保護することができる。
【図面の簡単な説明】
【０００９】
【図１】本発明の一実施形態に係る回路保護装置を備えた電源監視装置Ａの概略構成図である。
【図２】本発明の一実施形態に係る回路保護装置の詳細構成を示す回路図である。
【図３】本発明の一実施形態に係る、組電池Ｘが正常電圧を出力する場合における回路保護装置の動作を説明する図である。
【図４】本発明の一実施形態に係る、組電池Ｘが異常電圧を出力する場合における回路保護装置の動作を説明する図である。
【発明を実施するための形態】
【００１０】
以下、図面を参照して、本発明の一実施形態について説明する。
【００１１】
本発明の一実施形態に係る電源監視装置Ａは、図１に示すように組電池Ｘ（直流電源）の電圧を検出して当該電圧を監視する装置であり、電圧検出回路１及び遮断回路２を備えている。このような電源監視装置Ａを構成する構成要素のうち、遮断回路２は本発明における回路保護装置に相当する。また、電圧検出回路１は、本発明の「保護対象回路」の一例である。
【００１２】
組電池Ｘは、電気自動車やハイブリッド自動車等の車両に搭載されるバッテリであり、例えばリチウムイオン電池やニッケル水素電池等の二次電池である。この組電池Ｘは、図示するように、複数のバスバーＢによって互いに直列接続された複数の電池セルｂ１〜ｂｎを備えている。このような組電池Ｘは、例えば車両の走行動力を発生させる走行モータを駆動するインバータに直流電力を供給する。すなわち、組電池Ｘのプラス端子はインバータの一方の入力端に接続され、組電池Ｘのマイナス端子はインバータの他方の入力端に接続されている。なお、上記「ｎ」は２以上の自然数である。なお、電池セルｂ１〜ｂｎのそれぞれを区別しない場合には、単に「電池セルｂ」と標記する。
【００１３】
バスバーＢは、２つの隣り合う電池セルｂを電気的に接続している。例えば、バスバーＢは、長円状の金属板であり、長手方向の両端に図示しないネジ孔が形成されている。そして、バスバーＢは、隣り合う電池セルｂの出力端子（プラス端子及びマイナス端子）のそれぞれと接触した状態で両端のネジ孔に挿入された図示しないネジにより電池セルｂに固定されている。又は、バスバーＢと電池セルｂの出力端子（プラス端子及びマイナス端子）とを溶接により固定してもよい。このようなバスバーＢが複数設けられることにより、電池セルｂ同士が電気的に接続された状態となる。
【００１４】
電圧検出回路１は、組電池Ｘの出力電圧に基づいて組電池Ｘを監視する回路である。すなわち、この電圧検出回路１は、各電池セルｂ１〜ｂｎの出力端子（プラス端子及びマイナス端子）に各々対応する複数対の入力端子を備えている。また、各電池セルｂ１〜ｂｎの出力端子（プラス端子及びマイナス端子）と電圧検出回路１の複数対の入力端子とは、各々に接続線Ｌ１〜Ｌｎ＋１によって接続されている。
【００１５】
このような電圧検出回路１には、遮断回路２を介して各電池セルｂ１〜ｂｎの出力端子（プラス端子及びマイナス端子）から出力電圧（プラス電圧あるいはマイナス電圧）が入力される。この電圧検出回路１は、上記各電池セルｂ１〜ｂｎの出力電圧に基づいて各電池セルｂ１〜ｂｎの端子間電圧（プラス電圧とマイナス電圧との差電圧）をセル電圧Ｖ１〜Ｖｎとして検出し、当該セル電圧Ｖ１〜Ｖｎに基づいて組電池Ｘの状態を監視する。この電圧検出回路１には、組電池Ｘの監視結果を組電池Ｘの充放電を制御するバッテリ制御装置（バッテリＥＣＵ）に出力する。
【００１６】
遮断回路２は、組電池Ｘと電圧検出回路１との間の各接続線Ｌ１〜Ｌｎ＋１の途中部位に設けられており、組電池Ｘの状態に応じて組電池Ｘと電圧検出回路１とを接続状態あるいは遮断状態とする。すなわち、この遮断回路２は、各電池セルｂ１〜ｂｎ毎に設けられた要素回路の集合体であり、各電池セルｂ１〜ｂｎの出力電圧が予め規定された正常範囲の電圧値のときは組電池Ｘと電圧検出回路１とを接続し、各電池セルｂ１〜ｂｎの出力電圧が異常電圧のときには組電池Ｘと電圧検出回路１との接続を遮断する。例えば、異常電圧とは、正常な電圧範囲外の電圧であって、通常では発生しない過小な電圧である。このように、遮断回路２は、組電池Ｘと電圧検出回路１との間の電気的な接続を遮断することで、電圧検出回路１の各入力端への過電流の流入を阻止して電圧検出回路１を保護する。
【００１７】
図２は、代表として電池セルｂ１に対応する遮断回路２及び電圧検出回路１の詳細構成を示す回路図である。なお、電池セルｂ１以外の電池セルｂ２〜ｂｎに対応する遮断回路２及び電圧検出回路１も、図２と同様な詳細構成を有している。
【００１８】
遮断回路２（要素回路）は、Ｐチャネル型電界効果トランジスタＴ１１，Ｔ１２、スイッチ駆動回路ＳＤ１，ＳＤ２及びスイッチング素子ＳＷ１を備えている。なお、遮断回路２（要素回路）の構成は、全ての電池セルｂ１〜ｂｎについて同様なので、以下では代表として電池セルｂ１に対応する遮断回路２（要素回路）について説明する。
【００１９】
Ｐチャネル型電界効果トランジスタＴ１１は、接続線Ｌ１に設けられており、ソース端子が電池セルｂ１のプラス端子に接続され、ドレイン端子が電圧検出回路１に接続されている。また、Ｐチャネル型電界効果トランジスタＴ１１のゲート端子がスイッチング駆動回路ＳＤ１に接続されている。このＰチャネル型電界効果トランジスタＴ１１は、電池セルｂ１のプラス端子と電圧検出回路１との間を接続状態あるいは遮断状態とする機能を有する。
【００２０】
Ｐチャネル型電界効果トランジスタＴ２１は、接続線Ｌ２に設けられており、ソース端子が電池セルｂ１のマイナス端子（電池セルｂ２のプラス端子）に接続され、ドレイン端子が電圧検出回路１に接続されている。また、Ｐチャネル型電界効果トランジスタＴ２１のゲート端子がスイッチング駆動回路ＳＤ２に接続されている。このＰチャネル型電界効果トランジスタＴ２１は、電池セルｂ１のマイナス端子（電池セルｂ２のプラス端子）と電圧検出回路１との間を接続状態あるいは遮断状態とする機能を有する。
【００２１】
スイッチ駆動回路ＳＤ１は、Ｐチャネル型電界効果トランジスタＴ１１を駆動する。具体的には、スイッチ駆動回路ＳＤ１は、組電池Ｘが正常電圧を出力するとＰチャネル型電界効果トランジスタＴ１１を導通状態（閉状態）に制御し、組電池Ｘが通常では発生しない過小な電圧である異常電圧を出力すると非導通状態（開状態）に制御する。なお、組電池Ｘが異常電圧を出力する場合とは、例えば、電池セルｂの過放電によって当該電池セルｂの電池セル残量が低下した場合や、バスバーＢが外れた場合等である。
【００２２】
スイッチ駆動回路ＳＤ１の具体的な構成としては、スイッチ駆動回路ＳＤ１は、抵抗器Ｒ１１及び抵抗器Ｒ１２を備える。
抵抗器Ｒ１１は、一端がＰチャネル型電界効果トランジスタＴ１１のソース端子に接続され、他端がＰチャネル型電界効果トランジスタＴ１１のゲート端子に接続される。
抵抗器Ｒ１２は、一端がＰチャネル型電界効果トランジスタＴ１１のゲート端子に接続され、他端がスイッチング素子ＳＷ１の一端に接続される。
【００２３】
スイッチ駆動回路ＳＤ２は、Ｐチャネル型電界効果トランジスタＴ２１を駆動する。具体的には、スイッチ駆動回路ＳＤ２は、組電池Ｘが正常電圧を出力するとＰチャネル型電界効果トランジスタＴ２１を導通状態（オン状態）に制御し、組電池Ｘが異常電圧を出力すると非導通状態（オフ状態）に制御する。
【００２４】
スイッチ駆動回路ＳＤ２の具体的な構成としては、スイッチ駆動回路ＳＤ２は、抵抗器Ｒ２１及び抵抗器Ｒ２２を備える。
抵抗器Ｒ２１は、一端がＰチャネル型電界効果トランジスタＴ２１のソース端子に接続され、他端がＰチャネル型電界効果トランジスタＴ２１のゲート端子に接続される。
抵抗器Ｒ２２は、一端がＰチャネル型電界効果トランジスタＴ２１のゲート端子に接続され、他端がスイッチング素子ＳＷ１の一端に接続される。
【００２５】
スイッチング素子ＳＷ１は、Ｐチャネル型電界効果トランジスタＴ１１，１２の各ゲート端子及びグランドの間に電気的に接続されている。具体的には、スイッチング素子ＳＷ１の一端は、抵抗器Ｒ１２の他端と抵抗器Ｒ２２の他端とに接続されている。また、スイッチング素子ＳＷ１の他端はグランドに接続されている。このスイッチング素子ＳＷ１は、電圧検出回路１によりオン状態又はオフ状態に制御される。なお、スイッチング素子ＳＷ１は、機械スイッチであってもよいし、電気的なスイッチであってもよい。
【００２６】
次に、本実施形態に係る電圧検出回路１の構成について説明する。
【００２７】
電圧監視部７は、一対のローパスフィルタＬＰＦ１，ＬＰＦ２、放電回路１０、及びセル電圧検出ＩＣ１１を備える。
【００２８】
ローパスフィルタＬＰＦ１は、入力端がＰチャネル型電界効果トランジスタＴ１１のドレイン端子に接続され、出力端がセル電圧検出ＩＣ１１の入力端ａ１に接続されている。本実施形態では、ローパスフィルタＬＰＦ１は、抵抗器Ｒ３１とコンデンサＣ３１とからなるＣＲフィルタである。このローパスフィルタＬＰＦ１は、電池セルｂ１のプラス端子からＰチャネル型電界効果トランジスタＴ１１を介して入力端ａ１に入力される電圧のノイズを除去するフィルタ回路である。
【００２９】
ローパスフィルタＬＰＦ２は、入力端がＰチャネル型電界効果トランジスタＴ２１のドレイン端子に接続され、出力端がセル電圧検出ＩＣ１１の入力端ａ２に接続されている。本実施形態では、ローパスフィルタＬＰＦ２は、抵抗器Ｒ４１とコンデンサＣ４１とからなるＣＲフィルタである。このローパスフィルタＬＰＦ２は、電池セルｂ１のマイナス端子（電池セルｂ２のプラス端子）からＰチャネル型電界効果トランジスタＴ２１を介して入力端ａ２に入力される電圧のノイズを除去するフィルタ回路である。
【００３０】
放電回路１０は、一対の放電抵抗器Ｒ５１，Ｒ５２及びスイッチング素子ＳＷ２を備える。
放電抵抗器Ｒ５１の一端は、ローパスフィルタＬＰＦ１の入力端に接続されている。また、放電抵抗器Ｒ５１の他端は、セル電圧検出ＩＣ１１の入力端ａ３に接続されている。
【００３１】
放電抵抗器Ｒ５２の一端は、ローパスフィルタＬＰＦ２の入力端に接続されている。また、放電抵抗器Ｒ５２の他端は、セル電圧検出ＩＣ１１の入力端ａ４に接続されている。
【００３２】
スイッチング素子ＳＷ２は、一対の入力端ａ３，ａ４に接続されている。具体的には、スイッチング素子ＳＷ２は、セル電圧検出ＩＣ１１により開状態又は閉状態に制御される。開閉スイッチ７ｂは、セル電圧検出ＩＣ１１により閉状態に制御されることで、入力端ａ３と入力端ａ４とを導通させる。これにより、ローパスフィルタＬＰＦ１のコンデンサＣ３１に蓄えられた電荷が放電される。更に、入力端ａ３と入力端ａ４とが導通することで、電池セルｂ１のプラス端子とマイナス端子とが相互接続され、以て電池セルｂ１の電荷が放電される。
【００３３】
なお、スイッチング素子ＳＷ２は、セル電圧検出ＩＣ１１と一体に設けられていてもよいし、セル電圧検出ＩＣ１１と別体に設けられていてもよい。また、スイッチング素子ＳＷ２は、機械スイッチであってもよいし、電気的なスイッチであってもよい。
【００３４】
セル電圧検出ＩＣ１１は、電圧検出部１２及び制御部１３を備える。
電圧検出部１２は、（ｎ＋１）本の接続線Ｌ１〜Ｌｎ＋１及び遮断回路２を介して入力される各電池セルｂ１〜ｂｎの出力電圧（セル電圧Ｖ１〜Ｖｎ）に基づいて組電池Ｘの状態を所定時間ごとに監視する。
【００３５】
制御部１３は、スイッチング素子ＳＷ１をオン状態又はオフ状態に制御する。例えば、制御部１３は、車両の始動時（例えば、イグニッションスイッチがオンした場合）において、スイッチング素子ＳＷ１にスイッチング信号を出力することで、スイッチング素子ＳＷ１をオン状態に制御する。そして、制御部１３は、イグニッションスイッチがオフするまで、スイッチング素子ＳＷ１を常にオン状態に制御する。
また、制御部１３は、当該車両を所定の周期で放電回路１０を作動させて放電回路１０の放電処理を実行させる。
【００３６】
以下に、本発明の一実施形態に係る遮断回路２の動作について詳しく説明する。
例えば、不図示のイグニッションスイッチがオン状態になり、車両の始動が開始されると、制御部１３は、スイッチング素子ＳＷ１にスイッチング信号を出力する。これにより、スイッチング素子ＳＷ１がオン状態になり、抵抗器Ｒ１２及び抵抗器Ｒ２２の他端が接地される。
【００３７】
抵抗器Ｒ１２及び抵抗器Ｒ２２の他端が接地されると、組電池Ｘから正常な電圧が出力される場合には、組電池Ｘからグランドへ電流が流れる。例えば、図３に示すように、組電池Ｘから接続線Ｌ１を介して遮断回路２に出力される電圧が正常な電圧範囲の電圧である場合には、電池セルｂ１から、抵抗器Ｒ１１、抵抗器Ｒ１２、スイッチング素子ＳＷ１を介してグランドに電流Ｉ１が流れる。そのため、Ｐチャネル型電界効果トランジスタＴ１１のゲート・ソース間電圧(ＶＧＳ)がゲート閾値電圧よりも高くなり、Ｐチャネル型電界効果トランジスタＴ１１がオン状態となる。したがって、電圧検出部１２は、電池セルｂ１のプラス端子の電圧を検出することができる。
【００３８】
同様に、組電池Ｘから接続線Ｌ２を介して遮断回路２に出力される電圧が正常な電圧範囲の電圧である場合には、電池セルｂ２から、抵抗器Ｒ２１、抵抗器Ｒ２２、スイッチング素子ＳＷ１を介してグランドに電流Ｉ２が流れる。そのため、Ｐチャネル型電界効果トランジスタＴ２１のゲート・ソース間電圧(ＶＧＳ)がゲート閾値電圧よりも高くなり、Ｐチャネル型電界効果トランジスタＴ２１がオン状態となる。したがって、電圧検出部１２は、電池セルｂ１のマイナス端子の電圧を検出することができる。
これにより、電圧検出部１２は、電池セルｂ１の端子間電圧（セル電圧Ｖ１）を検出することができる。
【００３９】
一方、抵抗器Ｒ１２及び抵抗器Ｒ２２の他端が接地されている状態、すなわちスイッチング素子ＳＷ１がオン状態に制御されている状態において、電池セルｂの過放電やバスバーＢが外れた場合等によって組電池Ｘから異常電圧が出力された場合には、組電池Ｘからグランドへ電流が流れなくなる。
【００４０】
例えば、図４に示すように、電池セルｂ１のプラス端子に接続されていたバスバーＢが外れてしまい、組電池Ｘから異常電圧が出力されるとする。この場合には、電池セルｂ１からグランドに向かう電流Ｉが流れなくなるため、Ｐチャネル型電界効果トランジスタＴ１１のゲート・ソース間電圧(ＶＧＳ)がゲート閾値電圧よりも低くなる。そのため、Ｐチャネル型電界効果トランジスタＴ１１がオフ状態となり、電池セルｂ１と電圧検出回路１との間の電気的な接続が遮断される。したがって、遮断回路２は、バスバーＢが外れた際に発生する過大な逆電圧から電圧検出回路１を保護することができる。
【００４１】
すなわち、遮断回路２は、電池セルｂ１のプラス端子に接続されていたバスバーＢが外れた場合には、Ｐチャネル型電界効果トランジスタＴ１１をオフ状態に制御することで、図４中の電流Ｉ３が流れる経路を遮断する。これにより、セル電圧検出ＩＣ１１の入力端ａ２が入力端ａ１よりも高電位となる過大な逆電圧が電圧検出回路１に発生することを防止することができる。
【００４２】
以上、この発明の実施形態について図面を参照して詳述してきたが、具体的な構成はこの実施形態に限られるものではなく、この発明の要旨を逸脱しない範囲の設計等も含まれる。
【００４３】
（変形例１）上記実施形態の組電池Ｘは、ＣＩＤ（Current Interrupt Device）を備えてもよい。例えば、組電池Ｘを構成する各電池セルｂ１〜ｂｎに対応して各電池セルｂ１〜ｂｎのプラス端子側にＣＩＤが設けられていてもよい。
【００４４】
（変形例２）上記実施形態では、組電池Ｘが異常電圧を出力する場合として、電池セルｂの過放電によって当該電池セルｂの電池セル残量が低下した場合や、バスバーＢが外れた場合を例示したが、本発明はこれに限定されず、様々な要因に起因する異常電圧により発生する過電圧に対して電圧検出回路１を保護することができる。
【００４５】
（変形例３）上記実施形態では、図２に示す遮断回路２が各電池セルｂ１〜ｂｎに対して設けられる場合について説明したが、本発明はこれに限定されない。例えば、図２に示す遮断回路２は、電池セルｂ１〜ｂｎの少なくとも一つ以上の電池セルｂに対して設けられていればよい。
【００４６】
上述したように、本発明の一実施形態に係る回路保護装置である遮断回路２は、組電池Ｘと、当組電池Ｘのプラス電圧及びマイナス電圧が入力される電圧検出回路１との間に設けられるものである。そして、遮断回路２は、Ｐチャネル型電界効果トランジスタ及び当該Ｐチャネル型電界効果トランジスタを駆動するスイッチング駆動回路を備える。
このＰチャネル型電界効果トランジスタは、ソース端子が組電池Ｘを構成する電池セルｂのプラス端子に接続され、ドレイン端子が電圧検出回路１に接続され、ゲート端子がスイッチング素子ＳＷ１に接続される。また、スイッチング駆動回路は、スイッチング素子ＳＷ１がオン状態に制御されている場合において、組電池Ｘが正常電圧を出力するとＰチャネル型電界効果トランジスタを導通状態とし、組電池Ｘが異常電圧を出力するとＰチャネル型電界効果トランジスタを非導通状態とする。
【００４７】
このような構成によれば、遮断回路２は、組電池Ｘが異常電圧を出力する場合には、ヒューズを用いることなく、Ｐチャネル型電界効果トランジスタＴ１１によって、電池セルｂと電圧検出回路１との間の電気的な接続が遮断することができる。そのため、過放電によるセル残量低下やバスバーＢが外れた際に発生する過大な逆電圧から電圧検出回路１を保護することができる。
【００４８】
また、上記遮断回路２におけるスイッチ駆動回路は、一端が電池セルのプラス端子に接続され、他端がＰチャネル型電界効果トランジスタのソース端子に接続される第１の抵抗器と、一端がＰチャネル型電界効果トランジスタのゲート端子に接続され、他端がスイッチング素子ＳＷ１を介してグランドに接続される第２の抵抗器と、を備える。
【００４９】
このような構成によれば、遮断回路２は、組電池Ｘが異常電圧を出力する場合には、自動的にＰチャネル型電界効果トランジスタＴ１１がオフ状態に移行するため、電池セルと電圧検出回路１との間の電気的な接続を即座に遮断して過大な逆電圧から電圧検出回路１を保護することができる。
【符号の説明】
【００５０】
Ｘ  組電池（直流電源）
ｂ１〜ｂｎ  電池セル
１  電圧検出回路
２  遮断回路
Ｔ１１，Ｔ１２  Ｐチャネル型電界効果トランジスタ
ＳＷ１  スイッチング素子
ＳＤ１，ＳＤ２  スイッチ駆動回路
Ｒ１１，Ｒ２１  抵抗器（第１の抵抗器）
Ｒ１２，Ｒ２２  抵抗器（第２の抵抗器）
【図１】
2020025375.tif 000003
【図２】
2020025375.tif 000004
【図３】
2020025375.tif 000005
【図４】
2020025375.tif 000006